(57)【要約】【課題】サーバ負荷を抑制可能にし、且つ、視聴率調査等に供する信頼性の高いデータを生成可能な視聴操作ログデータ生成装置等を提供する。【解決手段】ＳＴＢ４は、視聴操作に応じて受信したＴＶ番組をリアルタイムに出力するＴＶ２のＨＤＭＩ入力端子２５に接続され、制御部４４が、赤外線コード入力部４３または無線通信部４２を介して入力した視聴操作に応じたＴＶ番組をＴＶ２に出力させる視聴操作制御を行うと、ＴＶ２に出力させたＴＶ番組に関する視聴操作ログデータを生成し、無線通信部４２を介してインターネット網１０に接続された管理サーバ９にその視聴操作ログデータを送信する。このため、管理サーバ９が備えるデータベースには、被験者の各家庭に設置されたＳＴＢ４から送信されてくる「直接的に視聴率を特定可能なデータ」（ログデータ）が蓄積されることになり、管理サーバ９は、音声マッチングのような複雑な処理を行う必要がなくなる。【選択図】図１
2014195236.tif 000002
【特許請求の範囲】
【請求項１】
ユーザによる視聴操作に応じて選局された番組を出力する番組出力装置の制御用端子に接続され、該番組出力装置によって出力された番組の放送局を特定するための視聴操作ログデータを生成する視聴操作ログデータ生成装置であって、
インターネット網に接続するための通信手段と、
前記視聴操作を入力する操作入力手段と、
前記操作入力手段を介して入力した前記視聴操作に応じた番組を前記番組出力装置に選局させる視聴操作制御を行う操作制御手段と、
前記操作制御手段を介して前記番組出力装置に選局させた番組に関する前記視聴操作ログデータを生成し、前記通信手段を介して前記インターネット網に接続されたデータベースに該視聴操作ログデータを送信するログデータ送信手段と、
を備えることを特徴とする視聴操作ログデータ生成装置。
【請求項２】
赤外線によって前記視聴操作の内容を示す赤外線コードを受信する赤外線コード受信部と、
所定の通信周波数帯の電波によって前記視聴操作の内容を示す無線コードを受信する無線コード受信部と、
を備え、
前記操作入力手段は、前記赤外線コード受信部を介して受信した赤外線コード、または、前記無線コード受信部を介して受信した無線コードに基づいて、前記視聴操作を入力することを特徴とする請求項１に記載の視聴操作ログデータ生成装置。
【請求項３】
赤外線によって前記視聴操作の内容を示す赤外線コードを受信する赤外線コード受信部を備え、
前記操作入力手段は、前記赤外線コード受信部を介して受信した赤外線コードに基づいて、前記視聴操作を入力し、
前記赤外線コード受信部は、前記番組出力装置に予め備えられて前記赤外線コードを受信する赤外線受光部を覆う位置に設置されることを特徴とする請求項１または請求項２に記載の視聴操作ログデータ生成装置。
【請求項４】
前記通信手段を介して前記インターネット網に接続されたタイムサーバから現在の標準時刻を示す標準時刻情報を取得する時刻取得手段を備え、
前記ログデータ送信手段は、前記操作制御手段による視聴操作制御の実行時刻を示す情報を操作時刻情報とし、前記時刻取得手段により取得した標準時刻情報に基づく該操作時刻情報を、前記視聴操作制御によって前記番組出力装置に選局させた番組の放送局を特定するための視聴操作情報に対応づけてなるデータを、前記視聴操作ログデータとして生成することを特徴とする請求項１ないし請求項３のいずれか１項に記載の視聴操作ログデータ生成装置。
【請求項５】
前記操作制御手段は、前記通信手段を介してインターネット網に接続されたサーバから受信したコンテンツを前記番組出力装置に出力させるＷＥＢ制御を行うことを特徴とする請求項１ないし請求項４のいずれか１項に記載の視聴操作ログデータ生成装置。
【請求項６】
前記番組出力装置に予め備えられたＵＳＢ端子に接続され、該ＵＳＢ端子を介して前記番組出力装置から電源の供給を受ける給電手段を備えることを特徴とする請求項１ないし請求項５のいずれか１項に記載の視聴操作ログデータ生成装置。
【請求項７】
前記番組出力装置は、テレビ番組を出力するテレビであり、
前記操作制御手段は、前記テレビに予め接続された録画再生装置に対する前記視聴操作に応じた操作指令を、前記テレビを介して前記録画再生装置に出力する録画再生制御を行うことを特徴とする請求項１ないし請求項６のいずれか１項に記載の視聴操作ログデータ生成装置。
【請求項８】
赤外線によって前記視聴操作の内容を示す赤外線コードを受信する赤外線コード受信部を備え、
前記操作入力手段は、前記赤外線コード受信部を介して受信した赤外線コードに基づいて、前記視聴操作を入力し、
前記録画再生装置は、前記視聴操作に応じて選局した番組を前記テレビに出力させるように構成されており、
前記赤外線コード受信部は、前記録画再生装置に予め備えられて前記赤外線コードを受信する赤外線受光部を覆う位置に設置されることを特徴とする請求項７に記載の視聴操作ログデータ生成装置。
【請求項９】
ユーザによる視聴操作に応じて選局された番組を出力する装置を番組出力装置とし、該番組出力装置によって出力された番組の放送局を特定するための視聴操作ログデータを生成する視聴操作ログデータ生成装置であって、
赤外線によって前記視聴操作の内容を示すコードを赤外線コードとし、前記番組出力装置に予め備えられて前記赤外線コードを受信する赤外線受光部を覆う位置に設置され、前記赤外線コードを受信する赤外線コード受信部と、
前記赤外線コード受信部によって受信される前記赤外線コードを前記赤外線受光部に照射させる赤外線コード照射手段と、
前記赤外線コード受信部により前記赤外線コードを受信した場合、該赤外線コードに基づいて前記視聴操作を入力する操作入力手段と、
インターネット網に接続するための通信手段と、
前記操作入力手段を介して入力した前記視聴操作に応じた番組に関する前記視聴操作ログデータを生成し、前記通信手段を介して前記インターネット網に接続されたデータベースに該視聴操作ログデータを送信するログデータ送信手段と、
を備えることを特徴とする視聴操作ログデータ生成装置。
【請求項１０】
所定の通信周波数帯の電波によって前記視聴操作の内容を示す無線コードを受信する無線コード受信部と、
前記無線コード受信部を介して受信した前記無線コードを、該無線コードに対応する前記赤外線コードに変換するコード変換手段と、
を備え、
前記操作入力手段は、前記無線コード受信部により前記無線コードを受信した場合、該無線コードに基づいて前記視聴操作を入力し、
前記赤外線コード照射手段は、前記コード変換手段により変換された前記赤外線コードを、前記赤外線受光部に送信することを特徴とする請求項９に記載の視聴操作ログデータ生成装置。
【請求項１１】
前記操作入力手段を介して入力した前記視聴操作に応じた番組または該番組に付随する情報を視聴番組連動情報とし、該視聴番組連動情報を前記インターネット網から取得するための視聴チャンネルデータを、所定の携帯型端末装置に無線送信する視聴チャンネルデータ送信手段を備えることを特徴とする請求項１ないし請求項１０のいずれか１項に記載の視聴操作ログデータ生成装置。
【請求項１２】
前記携帯型端末装置は、前記無線コードまたは前記赤外線コードの送信元であることを特徴とする請求項１１に記載の視聴操作ログデータ生成装置。
【請求項１３】
ユーザによる視聴操作に応じて選局された番組を出力する番組出力装置の制御用端子に接続され、インターネット網に接続するための通信手段と、前記視聴操作を入力する操作入力手段とを備え、前記通信手段を介してインターネット網に接続されたサーバから、前記操作入力手段を介して入力した前記視聴操作に応じたコンテンツを受信し、該コンテンツを前記番組出力装置に出力させるＷＥＢ制御を行うコンピュータに、
前記操作入力手段を介して入力した前記視聴操作に応じた番組を前記番組出力装置に選局させる視聴操作制御を行う操作制御工程と、
前記操作制御工程により前記番組出力装置に選局させた番組の放送局を特定するための視聴操作ログデータを生成し、前記通信手段を介して前記インターネット網に接続されたデータベースに該視聴操作ログデータを送信するログデータ送信工程と、
を実行させるためのプログラム。
【発明の詳細な説明】
【技術分野】
【０００１】
本発明は、番組出力装置によって出力された番組の放送局を特定するための視聴操作ログデータを生成する視聴操作ログデータ生成装置およびプログラムに関する。
【背景技術】
【０００２】
従来、例えばテレビ番組（以下「ＴＶ番組」という）の視聴率を調査するために、テレビ（以下「ＴＶ」という）の音声出力端子に専用の視聴率測定端末（以下「端末」という）を接続し、端末が、ＴＶから出力された音声の特徴量符合化データ（以下「音声データ」という）および時刻データをインターネット網に接続された管理サーバに送信する視聴率調査システムが知られている（例えば、特許文献１参照）。
【０００３】
具体的には、この視聴率調査システムでは、放送局毎の全放送をリアルタイムから遡ってカバーした音声データがデータベースに蓄積されており、管理サーバが、端末から送信されてくる視聴時刻の音声データを、データベース内の同時刻における全局の音声データと照合する音声マッチングを行うことにより、テレビの視聴時刻と視聴チャンネルを特定している。
【先行技術文献】
【特許文献】
【０００４】
【特許文献１】特開２０１０−２３９３４５号公報
【発明の概要】
【発明が解決しようとする課題】
【０００５】
しかし、従来の視聴率調査システムでは、管理サーバが、調査エリアの地上波放送の他にＢＳ／ＣＳ放送まで多数のチャンネルから視聴チャンネルを特定しようとすると、各家庭に設置された相当数の端末から送信されてくる音声データについて全チャンネルの音声データとマッチングを行うことになるため、サーバ負荷が増大して著しくコストがかかってしまう問題があった。このようなサーバ負荷とコストの問題から、多数のチャンネルから視聴チャンネルを特定することは事実上不可能であるため、現状では、音声マッチングによる視聴率調査は地上波放送に限定されて行われている。
【０００６】
本発明は、上記問題に鑑みてなされたものであり、サーバ負荷を抑制可能にし、且つ、視聴率調査等に供する信頼性の高いデータを生成可能な視聴操作ログデータ生成装置およびプログラムの提供を目的とする。
【課題を解決するための手段】
【０００７】
上記目的を達成するためになされた本発明の一つは、ユーザによる視聴操作に応じて選局された番組を出力する番組出力装置の制御用端子に接続され、この番組出力装置によって出力された番組の放送局を特定するための視聴操作ログデータを生成する視聴操作ログデータ生成装置である。
【０００８】
そして、本発明の視聴操作ログデータ生成装置は、インターネット網に接続するための通信手段と、視聴操作を入力する操作入力手段とを備える。
ここで、本発明では、操作制御手段が、操作入力手段を介して入力した視聴操作に応じた番組を番組出力装置に選局させる視聴操作制御を行い、ログデータ送信手段が、操作制御手段を介して番組出力装置に選局させた番組に関する視聴操作ログデータを生成し、通信手段を介してインターネット網に接続されたデータベースにその視聴操作ログデータを送信するように構成した。
【０００９】
このような構成では、番組出力装置を制御可能な端子（制御用端子）に視聴操作ログデータ生成装置を接続し、ユーザが番組出力装置に放送番組を選局させるための視聴操作を行うと、視聴操作ログデータ生成装置が番組出力装置に対してその視聴操作に応じた出力制御（視聴操作制御）を行い、その視聴操作制御によって実際に番組出力装置が出力した番組に関する視聴操作ログデータが生成され、データベースに送信されることになる。
【００１０】
このため、データベースには、放送局毎に各時刻の音声データ等を示す照合用データを予め用意して記憶させておく必要がなくなり、各家庭に設置された視聴操作ログデータ生成装置から送信されてくる「直接的に視聴チャンネル／聴取チャンネル（つまり、番組の放送局）を特定可能なデータ」（視聴操作ログデータ）が蓄積され得ることになる。
【００１１】
したがって、本発明によれば、管理サーバがデータベースに蓄積された視聴操作ログデータを基に、各家庭で番組出力装置が出力した番組の放送局を直接的に特定することが可能となるため、音声マッチングのような複雑な処理を行う必要がなくなり、ひいてはサーバ負荷を抑制でき、且つ、視聴率調査／聴取率調査に供する信頼性の高いデータを生成することができる。その結果、地上波放送に限定されない多数のチャンネルの視聴率調査／聴取率調査を簡便な端末とサーバのシステムによって低コストで実施することができる。
【００１２】
なお、番組出力装置は、ＴＶチューナを備えるテレビや録画再生装置に限らず、ラジオチューナを備えるラジオであってもよい。このため、視聴操作とは、必ずしもテレビや録画再生装置に対する操作に限るものではなく、ラジオに対する操作であってもよい。
【００１３】
また、本発明において、操作入力手段は、視聴操作ログデータ生成装置にスイッチを設け、このスイッチの操作を視聴操作として直接的に入力する構成であってもよいし、リモートコントローラ（以下「リモコン」という）の操作を視聴操作として入力する構成であってもよい。
【００１４】
後者の場合、具体的には、本発明は、赤外線によって視聴操作の内容を示す赤外線コードを受信する赤外線コード受信部と、所定の周波数帯の電波によって視聴操作の内容を示す無線コードを受信する無線コード受信部とを備え、操作入力手段が、赤外線コード受信部を介して受信した赤外線コード、または、無線コード受信部を介して受信した無線コードに基づいて、視聴操作を入力するとなおよい。
【００１５】
このような構成によれば、赤外線コードを送信可能な赤外線リモコンや、無線コードを送信可能なものといった各種のリモコンから送られてくる情報に対応して、視聴操作に応じた出力制御（視聴操作制御）が行われることになるので、ユーザの利便性が増し、各種のリモコンに対応した視聴操作ログデータを生成することができる。
【００１６】
また、本発明において、赤外線コード受信部は、赤外線リモコンから送信されてくる赤外線コードを受信可能な位置であれば、例えば番組出力装置における任意の部位に設置され得るが、番組出力装置に予め備えられて赤外線コードを受信する赤外線受光部を覆う位置に設置すると、以下のようなメリットを有する。
【００１７】
即ち、このような構成では、番組出力装置の赤外線受光部が遮蔽されているため、赤外線リモコンから赤外線コードが送信されると、視聴操作ログデータ生成装置の赤外線コード受信部だけが受光することになる。このため、番組出力装置が単体で赤外線リモコンの操作に応じた出力を行うことがなくなり、番組出力装置が番組を出力する場合には、必ず視聴操作ログデータ生成装置による視聴操作制御が行われたことになる。よって、ユーザが赤外線リモコンを使用する場合には、視聴操作ログデータ生成装置が視聴操作制御を行った上で視聴操作ログデータが生成されることになるため、視聴率調査／聴取率調査に供する信頼性のより高いデータを生成することができる。
【００１８】
また、本発明では、視聴操作ログデータ生成装置が視聴操作ログデータを生成する毎にデータベースに送信し、データベース内でその視聴操作ログデータの受信時刻が管理されてもよいし、視聴操作ログデータ生成装置が時刻データを含む視聴操作ログデータをデータベースに送信し、データベース内でその視聴操作ログデータに含まれていた時刻データが管理されてもよい。
【００１９】
後者の場合、具体的には、本発明は、通信手段を介してインターネット網に接続されたタイムサーバから現在の標準時刻を示す標準時刻情報を取得する時刻取得手段を備え、ログデータ送信手段が、操作制御手段による視聴操作制御の実行時刻を示す情報を操作時刻情報とし、時刻取得手段により取得した標準時刻情報に基づく操作時刻情報を、視聴操作制御によって番組出力装置に選局させた番組の放送局を特定するための視聴操作情報に対応づけてなるデータを、視聴操作ログデータとして生成するとなおよい。
【００２０】
このような構成によれば、操作時刻情報を含む視聴操作ログデータをデータベースに送信するため、必ずしも視聴操作ログデータを生成する毎にデータベースに送信しなくてもよいので、送信回数を抑えることが可能となり、ひいては視聴操作ログデータ生成装置の処理負担を軽減させつつ、視聴操作制御が行われた正確な時刻を確実にデータベースに蓄積することができる。
【００２１】
なお、本発明の視聴操作ログデータ生成装置は、番組出力装置に番組を選局させる他、番組出力装置に各種のコンテンツを出力させるように構成してもよい。
例えば、本発明では、操作制御手段が、通信手段を介してインターネット網に接続されたサーバから受信したコンテンツ（ＷＥＢコンテンツ）を番組出力装置に出力させるＷＥＢ制御を行ってもよい。
【００２２】
この場合、番組出力装置の制御用端子に視聴操作ログデータ生成装置を接続すると、ＷＥＢコンテンツによるサービスを享受できるようになるため、各家庭の被験者に対して、視聴率調査／聴取率調査に協力してもらうインセンティブを与えることができる。さらに、番組の視聴率／聴取率だけでなく、ＷＥＢコンテンツに対するアクセスビュー数の調査も行えるようになる。
【００２３】
また、本発明の視聴操作ログデータ生成装置は、家庭内のコンセントから電源の供給を受ける構成であってもよいし、番組出力装置に予め備えられたＵＳＢ端子に接続され、そのＵＳＢ端子を介して番組出力装置から電源の供給を受ける給電手段を備える構成でもよい。
【００２４】
後者の場合、家庭内のコンセントの位置や配線に被験者が気を配ることなく、視聴操作ログデータ生成装置を容易に設置することが可能となり、ひいては利便性を向上させることができる。
【００２５】
また、本発明において、番組出力装置がテレビ番組を出力するテレビ（ＴＶ）である場合、操作制御手段が、ＴＶに予め接続された録画再生装置に対する視聴操作に応じた操作指令を、ＴＶを介して録画再生装置に出力する録画再生制御を行ってもよい。
【００２６】
この場合、例えば録画再生装置に内蔵されたＴＶ用チューナを介してリアルタイムにＴＶに出力させた番組に対する視聴操作ログデータの収集も行えるようになるため、視聴率調査／聴取率調査における捕捉率を上げることができる。
【００２７】
具体的には、録画再生装置が視聴操作に応じて選局した番組をＴＶに出力するように構成されている場合、赤外線コード受信部は、録画再生装置に予め備えられて赤外線コードを受信する赤外線受光部を覆う位置に設置すると、番組出力装置の赤外線受光部を覆う位置に設置する場合と同様の理由により、視聴率調査／聴取率調査に供する信頼性のより高いデータを生成することができる。
【００２８】
なお、本発明は、プログラムとして市場に流通させることができる。具体的には、本発明のプログラムは、ユーザによる視聴操作に応じて選局された番組を出力する番組出力装置の制御用端子に接続され、インターネット網に接続するための通信手段と、視聴操作を入力する操作入力手段と、通信手段を介して入力した視聴操作に応じたコンテンツを受信し、そのコンテンツを番組出力装置に出力させるＷＥＢ制御を行うコンピュータに以下の工程を実行させるためのものである。
【００２９】
即ち、本発明のプログラムでは、操作制御工程によって、操作入力手段を介して入力した視聴操作に応じた番組を番組出力装置に選局させる視聴操作制御を行い、ログデータ送信工程によって、操作制御工程で番組出力装置に選局させた番組の放送局を特定するための視聴操作ログデータを生成し、通信手段を介してインターネット網に接続されたデータベースにその視聴操作ログデータを送信する。
【００３０】
このようなプログラムは、例えばＴＶの制御用端子に接続されて各種のＷＥＢコンテンツをＴＶに出力することが可能なコンピュータに組み込まれることにより、本発明の視聴操作ログデータ生成装置によって奏する効果と同等の効果を得ることができる。なお、プログラムは、コンピュータに組み込まれるＲＯＭやフラッシュメモリ等に記憶され、これらＲＯＭやフラッシュメモリ等からコンピュータにロードされて用いられてもよいし、ネットワークを介してコンピュータにロードされて用いられてもよい。
【００３１】
また、上述のプログラムは、コンピュータにて読み取り可能なあらゆる形態の記録媒体に記録されて用いられてもよい。記録媒体としては、例えば、持ち運び可能な半導体メモリ（例えばＵＳＢメモリ、メモリカード（登録商標）など）などが含まれる。
【００３２】
また、本発明の視聴操作ログデータ生成装置としては、以下の構成を採用することができる。即ち、番組出力装置の赤外線受光部を覆う位置に設置されて赤外線コードを受信する赤外線コード受信部と、赤外線コード受信部によって受信される赤外線コードを番組出力装置の赤外線受光部に照射させる赤外線コード照射手段と、赤外線コード受信部により赤外線コードを受信した場合、その赤外線コードに基づいてユーザによる視聴操作を入力する操作入力手段と、インターネット網に接続するための通信手段と、ログデータ送信手段とを備える。なお、ログデータ送信手段は、操作入力手段を介して入力した視聴操作に応じた番組に関する視聴操作ログデータを生成し、通信手段を介してインターネット網に接続されたデータベースにその視聴操作ログデータを送信する。
【００３３】
つまり、本発明の視聴操作ログデータ生成装置は、必ずしも番組出力装置の制御用端子に接続されて番組出力装置に対して視聴操作制御を行うことを要するわけではなく、リモコンから送信される赤外線コードに基づいて視聴チャンネルを追跡し、受信したものと同じ赤外線コードを番組出力装置の赤外線受光部に照射することが可能に構成されていれば、実質的に本発明の目的を達成することができる。
【００３４】
このような構成では、ユーザがリモコンを用いて、番組出力装置に放送番組を選局させるための視聴操作を行い、リモコンがその視聴操作の内容を示す赤外線コードを送信すると、その赤外線コードを受光した番組出力装置が実際に出力した番組に関する視聴操作ログデータが生成され、データベースに送信されることになる。
【００３５】
したがって、このような構成においても、管理サーバがデータベースに蓄積された視聴操作ログデータを基に、各家庭で番組出力装置が出力した番組の放送局を直接的に特定することが可能となるため、音声マッチングのような複雑な処理を行う必要がなくなり、ひいてはサーバ負荷を抑制でき、且つ、視聴率調査／聴取率調査に供する信頼性の高いデータを生成することができる。その結果、地上波放送に限定されない多数のチャンネルの視聴率調査／聴取率調査をサーバに実行させることができる。
【００３６】
さらに、本発明の視聴操作ログデータ生成装置は、例えば電波式リモコンやスマートフォン等の無線にも対応し、ユーザによる視聴操作の内容を示す無線コードを受信する無線コード受信部と、無線コード受信部を介して受信した無線コードをこれに対応する赤外線コードに変換するコード変換手段とを備え、操作入力手段は、無線コード受信部により無線コードを受信した場合、その無線コードに基づいて視聴操作を入力し、赤外線コード照射手段は、コード変換手段により変換された赤外線コードを、番組出力装置の赤外線受光部に送信してもよい。
【００３７】
つまり、本発明の視聴操作ログデータ生成装置において、赤外線コード照射手段は、赤外線コード受信部により受信したものと同じ赤外線コードを番組出力装置の赤外線受光部に照射することが可能に構成されていれば、分光器のようにリモコンから送られてくる赤外線コードを赤外線コード受信部と番組出力装置の赤外線受光部とに分光する構成でもよいが、上記のように構成することにより、リモコンから無線コードが送信される場合であっても好適に対応することができる。
【００３８】
なお、本発明の視聴操作ログデータ生成装置は、例えばユーザのリモコン操作により選局されたチャンネル番号を所定の携帯型端末装置に無線送信する視聴チャンネルデータ送信手段を備え、携帯型端末装置に視聴番組連動情報をインターネット網から取得することで放送通信連携サービスを可能にする。
【００３９】
このような構成によれば、ユーザが所持する携帯型端末装置が、視聴操作ログデータ生成装置から無線によって受信した視聴チャンネルデータを基に、視聴番組連動情報を取得することにより、視聴操作に応じた番組またはその番組に付随する情報を、リアルタイムに利便性よくユーザに提供することができる。
【００４０】
なお、携帯型端末装置は、スマートフォンやタブレット端末、携帯電話機等のいずれであってもよいが、無線コードまたは赤外線コードの送信元であってもよい。つまり、携帯型端末装置は、無線コードまたは赤外線コードを送信するリモコンとしての機能を有するものであってもよい。
【００４１】
このような構成によれば、ユーザは、リモコンから携帯型端末装置に持ち替えることなく、リモコンとしての機能を有する携帯型端末装置を用いて、番組出力装置に放送番組を選局させるための視聴操作を行いつつ、その視聴操作に応じて番組出力装置が実際に出力している番組またはその番組に付随する情報を、リアルタイムに利便性よく得ることができる。
【図面の簡単な説明】
【００４２】
【図１】視聴操作ログデータ生成装置および視聴率調査システムの構成を例示する全体図である。
【図２】テレビおよび録画再生装置の構成を例示するブロック図である。
【図３】データベースを有する管理サーバの構成を例示するブロック図、およびデータベースの内容を例示する説明図である。
【図４】視聴操作ログデータ生成装置が行う制御処理の概要を例示するフローチャートである。
【図５】視聴操作ログデータ生成装置が行う視聴操作制御およびログデータ送信制御の内容を例示するフローチャートである。
【図６】第１変形例の視聴操作ログデータ生成装置の構成を説明するための説明図である。
【図７】第２変形例の視聴率調査システムの動作を説明するための説明図である。
【図８】第２変形例において携帯型端末装置が行う連動表示処理の内容を例示するフローチャートである。
【図９】連動表示処理において携帯型端末装置に表示される画面を例示するイメージ図である。
【発明を実施するための形態】
【００４３】
以下に、本発明の実施形態としての視聴操作ログデータ生成装置を備える視聴率調査システムを図面と共に説明する。
＜全体構成＞
図１に示すように、本実施形態の視聴率調査システム１は、番組出力装置としてのテレビ（ＴＶ）２と、録画再生装置としてのブルーレイディスクレコーダ（以下「ＢＤレコーダ」という）３と、視聴操作ログデータ生成装置としてのセットトップボックス（ＳＴＢ）４と、赤外線リモコン５と、無線リモコン６と、無線ルータ７と、タイムサーバ８と、管理サーバ９とによって構成される。
【００４４】
図２（ａ）に示すように、ＴＶ２は、ＴＶチューナ２１と、ディスプレイ２２と、スピーカ２３と、制御部２４と、２つのＨＤＭＩ入力端子２５と、赤外線受光部２６と、ＵＳＢ端子２７とを備えて構成される。
【００４５】
ＴＶチューナ２１は、デジタル放送を受信する各種のアンテナやケーブル（非図示）を用いて入力された各放送チャンネルのテレビ番組（ＴＶ番組）を選局する周知のものである。
【００４６】
ＨＤＭＩ入力端子２５は、ＨＤＭＩ（登録商標）と呼ばれる通信インターフェースの標準規格に則って、デジタル形式の映像信号、音声信号、および制御信号を１本のケーブルで入力し、制御信号に関してはその出力も行うことが可能な周知のものである。本実施形態では、２つのＨＤＭＩ入力端子２５のうち、第１のＨＤＭＩ入力端子２５ａは、ＢＤレコーダ３のＨＤＭＩ出力端子３５に接続されており、第２のＨＤＭＩ入力端子２５ｂは、ＳＴＢ４のＨＤＭＩ接続部４５に接続されている。
【００４７】
なお、第１のＨＤＭＩ入力端子２５ａは、ＢＤレコーダ３から送られてくる各種の映像信号、音声信号、および制御信号を入力し、ＳＴＢ４から送られてくる制御信号をＢＤレコーダ３に出力するために用いられ、第２のＨＤＭＩ入力端子２５ｂは、ＳＴＢ４から送られてくる制御信号や各種コンテンツを入力し、制御部２４が生成した制御信号をＳＴＢ４に出力するために用いられる。
【００４８】
赤外線受光部２６は、赤外線リモコン５から送信されてくる赤外線コードを受光し、その赤外線コードを制御部２４に出力するものである。なお、赤外線リモコン５は、ユーザによるＴＶ２の操作内容を示す情報を赤外線コードとして出力するものであればよく、ＴＶ２やＢＤレコーダ３に付属の専用リモコンであってもよいし、赤外線送信部を有し、この専用リモコンとしての機能を実現するためのプログラム（アプリケーション）が組み込まれたスマートフォンや携帯電話機であってもよい。
【００４９】
ＵＳＢ端子２７は、ＵＳＢと呼ばれるシリアルバス規格に則って、周辺機器を接続するための周知のものであり、接続された周辺機器との間で各種データを送受信するインターフェースとして用いられるだけでなく、ホストバスアダプタ（非図示）からその電源（電力）を周辺機器に供給するバスパワーとしても用いられる。
【００５０】
制御部２４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、各種の制御処理を実行するように構成されている。
【００５１】
具体的には、制御部２４は、例えば、赤外線受光部２６から入力した赤外線コードに基づいて、視聴操作に応じた放送チャンネルをＴＶチューナ２１に選局させることで、その放送チャンネルのＴＶ番組を、ディスプレイ２２にモニタ出力させつつ、スピーカ２３に音声出力させる操作選局制御を実行する。
【００５２】
なお、制御部２４は、第２のＨＤＭＩ入力端子２５ｂを介してＳＴＢ４から送られてくる制御信号を入力した場合にも、その制御信号が示すＴＶ２への視聴操作に応じた操作選局制御を行い、その操作選局制御によって選局した放送チャンネルを示す情報（視聴操作情報）を、第２のＨＤＭＩ入力端子２５ｂを介してＳＴＢ４に出力する。つまり、ＳＴＢ４から送られてくる制御信号には、視聴操作情報を返信するための返信要求が含まれており、制御部２４は、この返信要求に従うことで、ＳＴＢ４の接続先である第２のＨＤＭＩ入力端子２５ｂを介して視聴操作情報を出力することが可能になっている。
【００５３】
また、制御部２４は、ＳＴＢ４から送られてくる制御信号がＢＤレコーダ３への視聴操作を示す場合には、第１のＨＤＭＩ入力端子２５ａを介してその制御信号をＢＤレコーダ３に出力し、第１のＨＤＭＩ入力端子２５ａを介してＢＤレコーダ３から送られてくる各種の映像信号および音声信号を入力すると、映像信号に基づいてディスプレイ２２にモニタ出力させつつ、音声信号に基づいてスピーカ２３に音声出力させる。
【００５４】
また、制御部２４は、第２のＨＤＭＩ入力端子２５ｂを介してＳＴＢ４から送られてくる各種コンテンツを入力すると、そのコンテンツに応じた画像をディスプレイ２２にモニタ出力させたり、そのコンテンツに応じた音声をスピーカ２３に出力させたりする。
【００５５】
図２（ｂ）に示すように、ＢＤレコーダ３は、ＴＶチューナ３１と、ハードディスクドライブ（以下「ＨＤＤ」という）３２と、ブルーレイディスクドライブ（以下「ＢＤＤ」という）３３と、制御部３４と、ＨＤＭＩ出力端子３５と、赤外線受光部３６とを備えて構成される。
【００５６】
ＴＶチューナ３１は、ＴＶ２のＴＶチューナ２１と同様、各放送チャンネルのＴＶ番組を選局する周知のものである。
ＨＤＭＩ出力端子３５は、ＴＶ２のＨＤＭＩ入力端子２５（本実施形態では、第１のＨＤＭＩ入力端子２５ａ）に接続され、ＨＤＭＩ（登録商標）と呼ばれる通信インターフェースの標準規格に則って、デジタル形式の映像信号、音声信号、および制御信号をＴＶ２に出力し、ＴＶ２から送られてくる制御信号を入力するために用いられる。
【００５７】
赤外線受光部３６は、ＴＶ２の赤外線受光部２６と同様、赤外線リモコン５から送信されてくる赤外線コードを受光し、その赤外線コードを制御部３４に出力するものである。なお、赤外線リモコン５は、ユーザによるＢＤレコーダ３の操作内容を示す情報を赤外線コードとして出力するものであればよく、ＢＤレコーダ３やＴＶ２に付属の専用リモコンであってもよいし、赤外線送信部を有し、この専用リモコンとしての機能を実現するためのプログラム（アプリケーション）が組み込まれたスマートフォンや携帯電話機であってもよい。
【００５８】
ＨＤＤ３２は、大容量記憶媒体であり、例えばＴＶチューナ３１を介して受信したＴＶ番組のデータファイル（以下「録画ファイル」という）を保存するために用いられる。
ＢＤＤ３３は、ブルーレイディスクやＤＶＤといったメディアに録画ファイル等を保存したり、これらのメディアに記憶されている録画ファイルや各種コンテンツのデータファイルを読み出したりするために用いられる。
【００５９】
制御部３４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、各種の制御処理を実行するように構成されている。
【００６０】
具体的には、制御部３４は、例えば、赤外線受光部３６から入力した赤外線コードに基づいて、視聴操作に応じた放送チャンネルをＴＶチューナ３１に選局させることで、その放送チャンネルのＴＶ番組を再生して、その再生信号（映像信号および音声信号）を、ＨＤＭＩ出力端子３５を介してＴＶ２に出力する操作選局制御を実行する。
【００６１】
また、制御部３４は、例えば、赤外線受光部３６から入力した赤外線コードに基づいて、視聴操作に応じた録画ファイルや各種コンテンツのデータファイルをＨＤＤ３２またはＢＤＤ３３から読み出し、再生して、その再生信号を、ＨＤＭＩ出力端子３５を介してＴＶ２に出力するデータ出力制御を実行する。
【００６２】
なお、制御部３４は、ＨＤＭＩ出力端子３５を介してＴＶ２から送られてくる制御信号を入力した場合にも、その制御信号が示すＢＤレコーダ３への視聴操作に応じた操作選局制御やデータ出力制御を行い、操作選局制御を行ったときには、ＴＶ２の制御部２４と同様、その操作選局制御によって選局した放送チャンネルを示す情報（視聴操作情報）を、ＨＤＭＩ出力端子３５を介してＴＶ２（ひいてはＳＴＢ４）に出力する。
【００６３】
また、制御部３４は、ＴＶチューナ３１を介して受信したＴＶ番組を、所定の形式（例えばＭＰＥＧ形式）の映像音声データに変換して、そのデータファイル（録画ファイル）をＨＤＤ３２や、ＢＤＤ３３に挿入されたメディアに保存する番組録画制御を実行する。
【００６４】
図３（ａ）に示すように、管理サーバ９は、インターネット網１０に接続されるネットワークインターフェース（以下「ネットワークＩＦ」という）９１と、視聴率を調査するために選ばれた被験者の家庭に設置されたＳＴＢ４から送られてくる視聴操作ログデータを記憶するデータベース９２（ハードディスク装置等）と、データベース９２に記憶されている視聴操作ログデータに基づいて視聴率を算出する制御部９３とを備えて構成される。
【００６５】
図３（ｂ）に示すように、データベース９２には、ＳＴＢ４を識別するための識別情報毎に、ＳＴＢ４に接続されたＴＶ３によって出力されたＴＶ番組を特定するための放送チャンネル９４と、被験者によるそのＴＶ番組の視聴開始時刻９５および視聴終了時刻９６とが対応づけられた複数の管理テーブル９７が記憶されている。
【００６６】
制御部９３は、ネットワークＩＦ９１を介して、識別情報および放送チャンネル９４を示す視聴操作情報に時刻データが付加された視聴操作ログデータを受信すると、その視聴操作ログデータに含まれている識別情報に対応する管理テーブル９７を抽出する。そして、その管理テーブル９７に、視聴操作ログデータが示す放送チャンネル９４を書き込むとともに、今回受信した時刻データが示す時刻を、視聴開始時刻９５として今回書き込んだ放送チャンネル９４に対応づけて書き込み、視聴終了時刻９６として前回書き込んだ放送チャンネル９４に対応づけて書き込むデータベース作成処理を実行する。なお、ネットワークＩＦ９１を介して受信した視聴操作ログデータにおける視聴操作情報に放送チャンネル９４が含まれていない場合には、データベース作成処理では、その視聴操作ログデータに含まれている時刻データが示す時刻を、視聴終了時刻９６として前回書き込んだ放送チャンネル９４に対応づけて書き込むだけで終了する。また、視聴終了時刻９６が前回書き込んだ放送チャンネル９４に既に対応づけて書き込まれている場合には、データベース作成処理では、その視聴操作ログデータが示す放送チャンネル９４を書き込むとともに、今回受信した時刻データが示す時刻を、視聴開始時刻９５として今回書き込んだ放送チャンネル９４に対応づけて書き込むだけで終了する。
【００６７】
また、制御部９３は、データベース９２に記憶されている複数の管理テーブル９７に基づいて、各ＴＶ番組に対する時刻毎の視聴率を、次式に従って算出する。
視聴率＝リアルタイム視聴数／標本数×１００（％）
但し、標本数は、データベース９２内の管理テーブル９７の数（即ち、被験者の数）に相当し、リアルタイム視聴数は、対象となるＴＶ番組に対応する放送チャンネル９４が書き込まれており、且つ、対象となる時刻がその放送チャンネル９４に対応づけられた視聴開始時刻９５から視聴終了時刻９６までの間に存在している管理テーブル９７の数（即ち、対象となる時刻に対象となるＴＶ番組を視聴している被験者の数）に相当する。
【００６８】
図１に戻り、タイムサーバ８は、インターネット網１０に接続され、同じくインターネット網１０に接続されたコンピュータの時刻を標準時刻に合わせるための標準時刻情報を配信するサーバである。
【００６９】
無線ルータ７は、インターネット網１０に接続するとともに、被験者の家庭内を無線ローカルエリアネットワーク（無線ＬＡＮ）環境にするための周知のものである。
＜ＳＴＢの構成＞
ＳＴＢ４は、内部時計４１と、無線通信部４２と、２つの赤外線コード入力部４３と、制御部４４と、ＨＤＭＩ接続部４５と、２つの赤外線コード受信部４６と、ＵＳＢ端子４７と、給電部４８とを備えて構成される。そして、本実施形態のＳＴＢ４では、スティック状の筐体（非図示）に、内部時計４１、無線通信部４２、２つの赤外線コード入力部４３、および制御部４４が格納されている。
【００７０】
給電部４８は、ＴＶ２のＵＳＢ端子２７に接続され、ＵＳＢ端子２７を介してＴＶ２から電源の供給を受けて、各部４１〜４７にその電源を供給するように構成されている。
ＵＳＢ端子４７は、ＴＶ２のＵＳＢ端子２７と同様、ＵＳＢと呼ばれるシリアルバス規格に則って、周辺機器を接続するためのものであり、本実施形態では、周辺機器としてマウスやキーボード等を接続することができる。
【００７１】
赤外線コード受信部４６は、それぞれＴＶ２の赤外線受光部２６およびＢＤレコーダ３の赤外線受光部３６と同様、赤外線リモコン５から送信されてくる赤外線コードを受光し、その赤外線コードをそれぞれ対応する赤外線コード入力部４３に出力するものである。本実施形態では、２つの赤外線コード受信部４６のうち、第１の赤外線コード受信部４６ａは、ＴＶ２の赤外線受光部２６を覆う位置に設置され、第２の赤外線コード受信部４６ｂは、ＢＤレコーダ３の赤外線受光部３６を覆う位置に設置される。これにより、赤外線リモコン５から送信されてくる赤外線コードは、ＴＶ２の赤外線受光部２６およびＢＤレコーダ３の赤外線受光部３６で受光されることなく、２つの赤外線コード受信部４６のいずれかを介して赤外線コード入力部４３に入力されることになる。
【００７２】
赤外線コード入力部４３は、赤外線コード受信部４６から出力された赤外線コードが示すユーザによる操作内容を制御部４４に入力するように構成されている。本実施形態では、２つの赤外線コード入力部４３のうち、第１の赤外線コード入力部４３ａは、第１の赤外線コード受信部４６ａに接続されており、ユーザによるＴＶ２に対する操作内容を制御部４４に入力し、第２の赤外線コード入力部４３ｂは、第２の赤外線コード受信部４６ｂに接続されており、ユーザによるＢＤレコーダ３に対する操作内容を制御部４４に入力する。
【００７３】
ＨＤＭＩ接続部４５は、ＴＶ２のＨＤＭＩ入力端子２５（本実施形態では、第２のＨＤＭＩ入力端子２５ｂ）に接続され、制御部４４が生成した操作指令を示す制御信号（返信要求を含む）や、制御部４４を介して入力された各種コンテンツをＴＶ２に出力し、ＴＶ２から返信要求に対して応答される視聴操作情報（操作選局制御によって選局された放送チャンネルを示す情報）を入力するために用いられる。
【００７４】
無線通信部４２は、無線ＬＡＮやＢｌｕｅｔｏｏｔｈ（登録商標）といった所定の通信周波数帯の電波によって近距離無線通信を行うように構成されており、これらの近距離無線通信に対応した無線リモコン６から送信されてくる無線コードを受信し、その無線コードを制御部４４に出力するものである。なお、無線リモコン６は、ユーザによるＴＶ２やＢＤレコーダ３の操作内容を示す情報を無線コードとして出力するものであればよく、ＴＶ２やＢＤレコーダ３に付属の専用リモコンであってもよいし、この専用リモコンとしての機能を実現するためのプログラム（アプリケーション）が組み込まれたスマートフォンや携帯電話機であってもよい。なお、無線通信部４２は、無線ＬＡＮを利用して無線リモコン６から送信されてくる無線コードについては、無線ルータ７を経由して受信することになる。
【００７５】
また、無線通信部４２は、無線ルータ７を経由してインターネット網１０に接続されたサーバから各種のＷＥＢコンテンツを取得したり、制御部４４が生成したログデータを、無線ルータ７を経由してインターネット網１０に接続された管理サーバ９に送信したりするためにも用いられる。
【００７６】
内部時計４１は、制御部４４がログデータを生成する際に時刻を記録するために使用される時計であり、タイムサーバ８が刻む時刻に同期するようになっている。
制御部４４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、以下のＳＴＢ制御処理を実行するように構成されている。なお、プログラムは、ネットワークを介してマイクロコンピュータにロードされて用いられてもよい。また、プログラムは、ＣＰＵにて読み取り可能なあらゆる形態の記録媒体に記録されて用いられてもよい。記録媒体としては、例えば、持ち運び可能な半導体メモリ（例えばＵＳＢメモリ、メモリカード（登録商標）など）などが含まれる。
【００７７】
＜ＳＴＢ制御処理＞
次に、ＳＴＢ４の制御部４４（ＣＰＵ）が実行するＳＴＢ制御処理について、図４のフローチャートに沿って説明する。なお、本処理は、ＳＴＢ４の給電部４８がＴＶ２のＵＳＢ端子２７に接続されると開始され、ＵＳＢ端子２７を介してＴＶ２から給電されている間、繰り返し実行される。
【００７８】
まず、本処理が開始されると、Ｓ１１０では、制御部４４のＣＰＵは、予め設定された内部時計４１の調整タイミングであるか否かを判断し、ここで肯定判断すると、Ｓ１２０に移行し、否定判断すると、Ｓ１４０に移行する。
【００７９】
Ｓ１２０では、無線通信部４２を介してインターネット網１０に接続されたタイムサーバ８にアクセスし、タイムサーバ８から現在の標準時刻を示す標準時刻情報を取得する。その後、続くＳ１３０では、Ｓ１２０で取得した標準時刻情報に基づいて内部時計４１を調整し、内部時計４１の時刻をタイムサーバ８が刻む標準時刻に同期させて、Ｓ１４０に移行する。
【００８０】
Ｓ１４０では、ＵＳＢ端子４７を介してユーザによるマウスやキーボードを用いたブラウザ操作を入力したか否かを判断し、ここで肯定判断すると、Ｓ１５０に移行し、否定判断すると、Ｓ１６０に移行する。
【００８１】
Ｓ１５０では、Ｓ１４０で入力したブラウザ操作に基づいて、無線通信部４２を介してインターネット網１０に接続されたサーバ（非図示）にアクセスし、サーバから提供されるＷＥＢコンテンツを受信して、ＨＤＭＩ接続部４５を介してそのＷＥＢコンテンツをＴＶ２に出力させるＷＥＢ制御処理を実行し、Ｓ１６０に移行する。
【００８２】
Ｓ１６０では、赤外線コード入力部４３または無線通信部４２を介してユーザによる録画再生操作を入力したか否かを判断し、ここで肯定判断すると、Ｓ１７０に移行し、否定判断すると、Ｓ１８０に移行する。
【００８３】
Ｓ１７０では、Ｓ１６０で入力した録画再生操作に基づく録画再生制御（番組録画制御やデータ出力制御など）をＢＤレコーダ３に実行させるための操作指令を示す制御信号を、ＨＤＭＩ接続部４５を介してＴＶ２に出力して、Ｓ１８０に移行する。
【００８４】
Ｓ１８０では、赤外線コード入力部４３または無線通信部４２を介してユーザによる番組視聴操作を入力したか否かを判断し、ここで肯定判断すると、Ｓ１９０に移行し、否定判断すると、Ｓ１１０に戻る。
【００８５】
Ｓ１９０では、Ｓ１６０で入力した番組視聴操作に応じたＴＶ番組をＴＶ２に選局させる視聴操作制御と、この視聴操作制御によってＴＶ２に出力させたＴＶ番組に関する視聴操作ログデータを生成し、管理サーバ９に送信するログデータ送信制御とを合わせた操作ログ制御処理を実行し、Ｓ１１０に戻る。
【００８６】
＜操作ログ制御処理＞
ここで、ＳＴＢ４の制御部４４（ＣＰＵ）が実行する操作ログ制御処理について、図５のフローチャートに沿って説明する。
【００８７】
まず、本処理が開始されると、Ｓ２１０では、制御部４４のＣＰＵは、Ｓ１８０で入力した番組視聴操作を示す情報（リモコンの指令コード；赤外線コードや無線コード等）を、ＨＤＭＩ用の制御信号（ＨＤＭＩ制御コード）に変換し、Ｓ２２０に移行する。
【００８８】
Ｓ２２０では、Ｓ２１０で生成したＨＤＭＩ制御コードを、ＨＤＭＩ接続部４５を介してＴＶ２に出力する。これにより、ＳＴＢ４からＨＤＭＩ制御コードを入力したＴＶ２、またはＴＶ２から転送されたＨＤＭＩ制御コードを入力したＢＤレコーダ３が、ＨＤＭＩ制御コードに基づいて、電源をオン／オフしたり、地上波／ＢＳ／ＣＳ放送のチャンネル変更を行ったり、音量を調整したりして、視聴操作情報を出力することになる。
【００８９】
続くＳ２３０では、Ｓ２２０でＨＤＭＩ制御コードを出力した時刻を示す情報を操作時刻情報として、内部時計４１から読み出し、Ｓ２４０に移行する。なお、操作時刻情報は、視聴操作制御（Ｓ２１０〜Ｓ２２０）の実行時刻を示す情報であればよく、Ｓ２１０でＨＤＭＩ制御コードを生成した時刻を示す情報であってもよいし、Ｓ２２０でＨＤＭＩ制御コードを出力した後に、ＨＤＭＩ接続部４５を介して視聴操作情報を入力した時刻であってもよい。
【００９０】
Ｓ２４０では、Ｓ２１０で生成したＨＤＭＩ制御コードに対応する視聴操作情報と、Ｓ２３０で読み出した操作時刻情報とを対応づけてなる視聴操作ログデータを、制御部４４のフラッシュメモリに記憶する。なお、視聴操作ログデータにおける視聴操作情報は、視聴操作制御（Ｓ２１０〜Ｓ２２０）によってＴＶ２に出力させたＴＶ番組の放送局を特定するための情報であればよく、ＨＤＭＩ接続部４５を介してＴＶ２やＢＤレコーダ３から入力した視聴操作情報（操作選局制御によって選局された放送チャンネル）を記憶してもよいし、Ｓ２１０で生成したＨＤＭＩ制御コードが示す番組視聴操作の内容を視聴操作情報として記憶してもよい。あるいは、番組視聴操作の内容を記憶するとともに、番組視聴操作の内容が放送チャンネルを特定するものではなく、単に放送チャンネルを切り替えるだけのものである場合、前回に記憶した視聴操作情報が示す放送チャンネルを基にして、今回視聴操作された放送チャンネルを特定し、視聴操作情報として記憶してもよい。
【００９１】
続くＳ２５０では、予め設定された送信タイミングであるか否かを判断し、ここで肯定判断すると、Ｓ２６０に移行し、否定判断すると、本処理を終了する。
Ｓ２６０では、Ｓ２４０で記憶した視聴操作ログデータのうち未送信のものを、ＳＴＢ４の個体毎に予め決められた識別情報とともに、無線通信部４２を介してインターネット網１０に接続された管理サーバ９に送信し、本処理を終了する。
【００９２】
＜効果＞
以上説明したように、本実施形態のＳＴＢ４は、視聴操作に応じて選局されたＴＶ番組を出力するＴＶ２のＨＤＭＩ入力端子２５に接続され、このＴＶ２によって出力されたＴＶ番組の放送局を特定するための視聴操作ログデータを生成する。具体的には、ＳＴＢ４では、制御部４４が、赤外線コード入力部４３または無線通信部４２を介して入力した視聴操作に応じたＴＶ番組をＴＶ２に選局させる視聴操作制御を行うと、ＴＶ２に出力させたＴＶ番組に関する視聴操作ログデータを生成し、無線通信部４２を介してインターネット網１０に接続された管理サーバ９にその視聴操作ログデータを送信する。
【００９３】
したがって、管理サーバ９が備えるデータベース９２には、被験者の各家庭に設置されたＳＴＢ４から送信されてくる「直接的に視聴率を特定可能なデータ」（視聴操作ログデータ）が蓄積されるため、管理サーバ９が複雑な処理を行う必要がなくなり、ひいてはサーバ負荷を抑制でき、且つ、視聴率調査に供する信頼性の高いデータを生成することができる。
【００９４】
また、ＳＴＢ４によれば、赤外線リモコン５や無線リモコン６といった各種のリモコンから送られてくる指令コードに対応して、視聴操作に応じた視聴操作制御が行われることになるので、ユーザの利便性が増し、各種のリモコンに対応して視聴操作ログデータを生成することができる。
【００９５】
また、ＳＴＢ４では、ＴＶ２の赤外線受光部２６やＢＤレコーダ３の赤外線受光部３６が遮蔽されるように赤外線コード受信部４６が設置されるため、赤外線リモコン５から赤外線コードが送信されると、ＳＴＢ４の赤外線コード受信部４６だけが受光することになる。このため、ＴＶ２やＢＤレコーダ３が単体で赤外線リモコン５の操作に応じた出力を行うことがなくなり、ＴＶ２がＴＶ番組を出力する場合には、必ずＳＴＢ４による視聴操作制御が行われたことになる。
【００９６】
よって、ユーザが赤外線リモコン５を使用する場合には、ＳＴＢ４が視聴操作制御を行った上で視聴操作ログデータが生成されることになるため、視聴率調査に供する信頼性のより高いデータを生成することができる。
【００９７】
また、ＳＴＢ４によれば、ＢＤレコーダ３に内蔵されたＴＶチューナ３１を介してリアルタイムにＴＶ２に出力させたＴＶ番組に対する視聴操作ログデータの収集も行えるようになるため、視聴率調査における補足率を上げることができる。
【００９８】
また、ＳＴＢ４では、制御部４４が、視聴操作制御の実行時刻を示す情報を操作時刻情報とし、タイムサーバ８から取得した標準時刻情報に基づく操作時刻情報を、視聴操作制御によってＴＶ２に出力させたＴＶ番組の放送局を特定するための視聴操作情報に対応づけてなるデータを、視聴操作ログデータとして生成する。
【００９９】
このため、必ずしも視聴操作ログデータを生成する毎に管理サーバ９に視聴操作ログデータを送信しなくてもよいので、送信回数を抑えることが可能となり、ひいてはＳＴＢ４（制御部４４）の処理負担を軽減させつつ、視聴操作制御が行われた正確な時刻を確実にデータベース９２に蓄積することができる。
【０１００】
また、ＳＴＢ４では、制御部４４が、無線通信部４２を介してインターネット網１０に接続されたサーバ（非図示）から受信したＷＥＢコンテンツをＴＶ２に出力させるＷＥＢ制御を行うため、被験者は、ＳＴＢ４をＴＶ２に接続することで、ＷＥＢコンテンツによるサービスを享受することができる。このため、各家庭の被験者に対して、視聴率調査に協力してもらうインセンティブを与えることができ、さらに、ＴＶ番組だけでなく、ＷＥＢコンテンツに対するアクセスビューの調査も行えるようになる。
【０１０１】
また、ＳＴＢ４では、給電部４８が、ＴＶ２に備えられたＵＳＢ端子２７に接続され、このＵＳＢ端子２７を介してＴＶ２から電源の供給を受けるため、家庭内のコンセントの位置や配線に被験者が気を配ることなく、ＳＴＢ４を容易に設置することが可能となり、ひいては利便性を向上させることができる。
【０１０２】
＜発明との対応＞
なお、本実施形態において、無線通信部４２が通信手段、無線通信部４２および赤外線コード入力部４３が操作入力手段、Ｓ２１０〜Ｓ２２０の処理を行う制御部４４が操作制御手段、Ｓ２３０〜Ｓ２６０の処理を行う制御部４４がログデータ送信手段、Ｓ１２０の処理を行う制御部４４が時刻取得手段、給電部４８が給電手段の各一例にそれぞれ相当する。
【０１０３】
＜他の実施形態＞
以上、本発明の実施形態について説明したが、本発明は上記実施形態に限定されるものではなく、本発明の要旨を逸脱しない範囲において、様々な態様にて実施することが可能である。
【０１０４】
例えば、上記実施形態の視聴率調査システム１では、ＳＴＢ４の制御部４４が、視聴操作制御によってＴＶ２に出力させたＴＶ番組に関するログデータを管理サーバ９に送信し、管理サーバ９がＴＶ番組の視聴率を算出しているが、これに限定されるものではない。
【０１０５】
具体的には、例えば、ＳＴＢ４の制御部４４が、ＷＥＢ制御によってＴＶ２に出力させたＷＥＢコンテンツを特定するためのアドレス情報を管理サーバ９に送信し、管理サーバ９がＴＶ番組だけでなく、ＷＥＢコンテンツに対するアクセスビューを算出してもよい。また、ＳＴＢ４の制御部４４が、番組視聴操作に限らず、ユーザによって音量の上げ下げや番組ガイドや字幕データ表示など各種の視聴操作がなされたときに、その視聴操作の情報を含む視聴操作ログデータを管理サーバ９に送信し、管理サーバ９がこれらの視聴操作ログデータをデータベース９２に記憶させて管理してもよい。
【０１０６】
また例えば、ＳＴＢ４をＴＶ２に接続する代わりに、番組出力装置として、視聴操作に応じて選局されたラジオ番組を出力するラジオに接続し、ＳＴＢ４の制御部４４が、視聴操作制御によってラジオに出力させたラジオ番組に関するログデータを管理サーバ９に送信し、管理サーバ９がラジオ番組の聴取率を算出してもよい。
【０１０７】
また、上記実施形態の視聴率調査システム１では、ＳＴＢ４がリモコン５，６から送られてくる指令コードによって視聴操作の内容を入力しているが、これに限定されるものではなく、ＳＴＢ４にスイッチを設け、このスイッチの操作内容を視聴操作の内容として直接的に入力する構成であってもよい。
【０１０８】
また、上記実施形態のＳＴＢ４では、赤外線コード受信部４６がＴＶ２の赤外線受光部２６やＢＤレコーダ３の赤外線受光部３６を覆う位置に設置されているが、これに限らず、赤外線リモコン５から送られてくる赤外線コードを受光できる位置であれば、任意の場所に設置されてもよい。
【０１０９】
また、上記実施形態の視聴率調査システム１では、ＳＴＢ４の制御部４４が、操作時刻情報を含むログデータを管理サーバ９に送信しているが、これに代えて、管理サーバ９がデータベース９２内で視聴操作ログデータの受信時刻を示す情報を操作時刻情報として管理してもよい。
【０１１０】
また、上記実施形態の視聴率調査システム１では、ＳＴＢ４の制御部４４が、視聴操作情報として放送チャンネルを示す情報を含む視聴操作ログデータを管理サーバ９に送信しているが、これに代えて、ＳＴＢ４の制御部４４が、視聴操作情報としてユーザによる番組視聴操作の内容を示す情報を含む視聴操作ログデータを管理サーバ９に送信し、管理サーバ９がデータベース９２内で番組視聴操作の内容を基に、実際にＴＶ２で選局された放送チャンネルを特定してもよい。
【０１１１】
また、上記実施形態の視聴率調査システム１では、ＳＴＢ４の制御部４４が、視聴操作情報として放送チャンネルを示す情報を含む視聴操作ログデータを管理サーバ９に送信しているが、例えば、無線通信部４２を介してインターネット網１０からＷＥＢ上の番組表にアクセスして、上記放送チャンネルに該当するＴＶ番組を示す情報を含む視聴操作ログデータを管理サーバ９に送信してもよい。
【０１１２】
また、上記実施形態の視聴率調査システム１では、管理サーバ９が、各家庭における世帯視聴率を算出しているが、各家庭における個人視聴率を算出してもよい。具体的には、例えばリモコン５，６に赤・青・緑・黄などのカラーボタンを家族内の各個人に予め割り当てておき、リモコン５，６を操作する人が自身に割り当てられたカラーボタンを押して自己申告してもよい。この場合、ＳＴＢ４は、各カラーボタンの信号コードをリモコン５，６から受信すると、その信号コードを記録し、適宜、家族内の個人を特定するための情報を含む視聴操作ログデータを管理サーバ９に送信すればよい。
【０１１３】
また、例えばＳＴＢ４のＵＳＢ端子４７にＷＥＢカメラ等の撮像装置を接続して、制御部４４が周知の顔認識処理を行うことにより、家族内の個人を特定することもできる。なお、家族に性別が同じ双子が含まれる場合、顔認識処理では双子の顔の区別を行うことは難しいかもしれないが、このような場合に顔認識処理で双子を同一人物であると特定しても、少なくとも性別および年齢に対する視聴率の傾向を調査することができる。
【０１１４】
＜第１変形例＞
次に、上記実施形態の第１変形例としての視聴操作ログデータ生成装置を備える視聴率調査システムを図面と共に説明する。なお、以下では、本変形例において、上記実施形態と異なる部分を説明し、同じ部分については説明を省略する。また、本変形例において、上記実施形態と共通する構成には、同一の符号を付す。
【０１１５】
＜ＳＴＢの構成＞
図６に示すように、本変形例のＳＴＢ４は、赤外線コード出力部６３と、赤外線コード変換部６６とをさらに備える。また、本変形例のＳＴＢ４は、後述するように、ＴＶ２のＨＤＭＩ入力端子２５に接続しなくてよい構成となり、ＨＤＭＩ接続部４５を構成から除外してもよい。
【０１１６】
赤外線コード送信部６６は、赤外線コード受信部４６と共に赤外線発信器６０を構成する。赤外線発信器６０は、ＴＶ２の赤外線受光部２６やＢＤレコーダ３の赤外線受光部３６を覆う位置に（例えばＴＶ２やＢＤレコーダ３への貼付により）設置され、赤外線コード受信部４６が赤外線リモコン５から赤外線コードを受信するために外部に露出するように配置される。これにより、赤外線リモコン５から送信されてくる赤外線コードは、ＴＶ２の赤外線受光部２６やＢＤレコーダ３の赤外線受光部３６で受光されることなく、赤外線コード受信部４６を介して赤外線コード入力部４３に入力されることになる。また、赤外線発信器６０において、赤外線コード送信部６６は、赤外線リモコン５から受信した赤外線コードを照射するために、ＴＶ２の赤外線受光部２６やＢＤレコーダ３の赤外線受光部３６に対向配置される。
【０１１７】
なお、本変形例のＳＴＢ４において、赤外線コード入力部４３は、赤外線コード受信部４６から出力された赤外線コードが示すユーザによる操作内容を制御部４４および赤外線コード変換部６３に入力する。また、制御部４４は、無線リモコン６から無線通信部４２を介して受信した無線コードが示すユーザによる操作内容を赤外線コード変換部６３に入力する。
【０１１８】
赤外線コード変換部６３は、ＢＤレコーダ３やＴＶ２に付属の専用リモコン（赤外線リモコン５の一形態）との赤外線通信によって、ユーザによる操作内容と赤外線コードとの対応関係を予め学習する赤外線学習処理を行うことにより、この対応関係を示す赤外線対応テーブルを予め記憶しており、赤外線コード入力部４３および制御部４４から入力された操作内容に対応する赤外線コードを赤外線コード送信部６６に入力する。つまり、赤外線コード変換部６３は、制御部４４が無線通信部４２を介して無線コードを受信した場合に、その無線コードを赤外線コードに変換するコード変換手段として機能するように構成されている。なお、赤外線コード変換部６３は、制御部４４が実行する処理として制御部４４に組み込まれる態様であってもよい。また、赤外線対応テーブルは、制御部４４のフラッシュメモリ等の不揮発性メモリに格納しておくことができる。
【０１１９】
赤外線コード送信部６６は、赤外線コード変換部６３から入力された赤外線コードを、ＴＶ２の赤外線受光部２６やＢＤレコーダ３の赤外線受光部３６に向けて送信する。つまり、赤外線コード送信部６６は、赤外線コード受信部４６によって受信される赤外線コード、及び、無線通信部４２によって受信される無線コードが赤外線コード変換部６３によって変換された赤外線コードを、赤外線受光部２６，３６に照射する赤外線コード照射手段として機能するように構成されている。
【０１２０】
制御部４４は、ＳＴＢ制御処理において、赤外線コード入力部４３または無線通信部４２を介してユーザによる番組視聴操作を入力した場合、この番組視聴操作に応じてＴＶ２の制御部２４やＢＤレコーダ３の制御部３４によって選局される放送チャンネルを特定するためのトラッキング処理を行う。そして、操作ログ制御処理では、このトラッキング処理によって特定した放送チャンネル（つまり、ユーザの視聴チャンネル）に応じたＴＶ番組に関する視聴操作ログデータを生成し、管理サーバ９に送信するログデータ送信制御とを合わせた操作ログ制御処理を実行するようになっている。このため、本変形例の制御部４４は、操作ログ制御処理において、ユーザによる番組視聴操作に応じたＴＶ番組をＴＶ２やＢＤレコーダ３に選局させる視聴操作制御を行わずに済むことになる。
【０１２１】
＜第１変形例の効果＞
以上説明したように、第１変形例のＳＴＢ４は、必ずしもＨＤＭＩ入力端子２５に接続されてＴＶ２やＢＤレコーダ３に対して視聴操作制御を行うことを要するわけではなく、リモコン（赤外線リモコン５，無線リモコン６）から送信されるコード（赤外線コード，無線コード）に基づいて視聴チャンネルを追跡し、受信したものと同じ番組視聴操作を示す赤外線コードを赤外線受光部２６，３６に照射するように構成されている。
【０１２２】
このような構成では、ユーザがリモコンを用いて、番組視聴操作を示すコードを送信すると、そのコードに対応する赤外線コードがＳＴＢ４からＴＶ２やＢＤレコーダ３に送信され、この赤外線コードを受光したＴＶ２やＢＤレコーダ３が実際に選局（出力）したＴＶ番組に関する視聴操作ログデータが生成され、インターネット網１０に接続された管理サーバ９にその視聴操作ログデータが送信されることになる。
【０１２３】
したがって、このような構成においても、管理サーバ９（制御部９３）がデータベース９２に蓄積された視聴操作ログデータを基に、各家庭で番組出力装置が出力した番組の放送局を直接的に特定することが可能となるため、音声マッチングのような複雑な処理を行う必要がなくなり、ひいてはサーバ負荷を抑制でき、且つ、視聴率調査／聴取率調査に供する信頼性の高いデータを生成することができる。その結果、地上波放送に限定されない多数のチャンネルの視聴率調査／聴取率調査をサーバに実行させることができる。
【０１２４】
なお、第１変形例のＳＴＢ４では、赤外線コード変換部６３が、無線リモコン６から無線通信部４２を介して無線コードを受信した場合に、その無線コードを赤外線コードに変換し、赤外線発信器６０において、赤外線コード送信部６６が、赤外線コード変換部６３により変換された赤外線コードを赤外線受光部２６，３６に照射するように構成されているが、これに限定されるものではなく、以下のような構成でもよい。
【０１２５】
即ち、まず、ＴＶ２およびＢＤレコーダ３は、無線リモコン６から送信されてくる無線コードを受信するための無線通信部をそれぞれ備えることとする。なお、この無線通信部の構成については、ＳＴＢ４の無線通信部４２と同様であるため、その詳細な説明を省略する。そして、ＴＶ２の制御部２４やＢＤレコーダ３の制御部３４が行う操作選局制御では、無線リモコン６から無線通信部を介して受信した無線コードに基づいて、視聴操作に応じた放送チャンネルをＴＶチューナ２１，３１に選局させることで、その放送チャンネルのＴＶ番組を、ティスプレイ２２にモニタ出力させつつ、スピーカ２３に音声出力させるようになっている。つまり、第１変形例のＳＴＢ４では、このような構成のもと、赤外線発信器６０が、赤外線コード受信部４６によって受信される赤外線コードだけを赤外線受光部２６，３６に照射するように構成されてもよい。
【０１２６】
このような構成においても、ＳＴＢ４（制御部４４）が実行するトラッキング処理では、赤外線リモコン５および無線リモコン６のいずれにも対応することが可能となり、ユーザによる番組視聴操作に応じてＴＶ２やＢＤレコーダ３が実際に選局（出力）した放送チャンネル（ＴＶ番組）を特定することができる。つまり、ＳＴＢ４とＴＶ２やＢＤレコーダ３との間で、放送チャンネルを同期することができる。また、この場合、赤外線コード変換部６３をＳＴＢ４の構成から除外することもできる。
【０１２７】
なお、第１変形例のＳＴＢ４において、赤外線発信器６０は、赤外線コード受信部４６により受信したものと同じ赤外線コードを赤外線受光部２６，３６に照射することが可能に構成されていれば、分光器のように赤外線リモコン５から送られてくる赤外線コードを赤外線コード受信部４６とＴＶ２やＢＤレコーダ３の赤外線受光部２６，３６とに分光する構成でもよい。この場合、赤外線コード送信部６６をＳＴＢ４の構成から除外することができる。
【０１２８】
＜第２変形例＞
次に、上記実施形態の第２変形例としての視聴操作ログデータ生成装置を備える視聴率調査システムを図面と共に説明する。なお、本変形例の視聴率調査システム１は、上記第１変形例の構成にも適用することができる。
【０１２９】
＜全体構成＞
本変形例の視聴率調査システム１は、ＴＶ２と、ＢＤレコーダ３と、視聴操作ログデータ生成装置としてのＳＴＢ４と、赤外線リモコン５および無線リモコン６としてのスマートフォン５６と、無線ルータ７と、タイムサーバ８と、管理サーバ９とを備えて構成される。
【０１３０】
スマートフォン５６は、赤外線送信部と無線通信部とを具備する周知の携帯型端末装置であり、ユーザによるＴＶ２やＢＤレコーダ３の操作内容を示す情報を赤外線コードや無線コードとして出力するために、ＴＶ２やＢＤレコーダ３に付属の専用リモコンとしての機能を実現するためのプログラム（アプリケーション）が予め組み込まれている。なお、携帯型端末装置としては、スマートフォン５６に限らず、タブレット端末や携帯電話機等、各種のものが採用され得る。
【０１３１】
また、スマートフォン５６は、ＴＶ２やＢＤレコーダ３に付属の専用リモコン（赤外線リモコン５の一形態）との赤外線通信によって、ユーザによる操作内容と赤外線コードとの対応関係を予め学習する赤外線学習処理を行うことにより、この対応関係を示す赤外線対応テーブルを予め記憶している。
【０１３２】
管理サーバ９は、前述のデータベース作成処理や視聴率の算出等の他、スマートフォン５６から後述する視聴チャンネルデータを受信すると、その視聴チャンネルデータ（詳しくは、このデータに加えて、視聴チャンネルデータの送信場所（送信地域）と送信時刻を示す情報）に対応するＴＶ番組またはそのＴＶ番組に付随する情報（以下「視聴番組連動情報」という）を、視聴チャンネルデータの送信元であるスマートフォン５６に送信する。なお、本変形例では、説明の便宜上、一つの管理サーバ９が、前述のデータベース作成処理や視聴率の算出等の他、各種の視聴番組連動情報の送信を行う構成について説明するが、これに限定されるものではなく、それぞれの処理に特化させ、また視聴番組連動情報の種類に応じた数だけ異なる管理サーバ９を備える構成でもよい。
【０１３３】
ＳＴＢ４は、図７に示すように、スマートフォン５６から赤外線コードまたは無線コードを受信すると、その受信したコードが示す番組視聴操作に基づき、ＳＴＢ制御処理（視聴操作制御やトラッキング処理）を実行することにより視聴チャンネルを特定し、特定した視聴チャンネルを示すデータ（以下「視聴チャンネルデータ」という）を、赤外線コードまたは無線コードの送信元であるスマートフォン５６に無線通信部４２を介して送信する。つまり、本変形例のＳＴＢ４は、各種の視聴番組連動情報を管理サーバ９から取得するための視聴チャンネルデータを、スマートフォン５６に無線送信する視聴チャンネルデータ送信手段を備えている。
【０１３４】
そして、スマートフォン５６は、ＳＴＢ４から視聴チャンネルデータを受信すると、以下の連動表示処理を開始するように構成されている。なお、連動表示処理を行うためのプログラムは、スマートフォン５６の不揮発性メモリに予め記憶されており、スマートフォン５６のＣＰＵがこのプログラムに基づいて連動表示処理を実行する。
【０１３５】
＜連動表示処理＞
ここで、スマートフォン５６のＣＰＵが実行する連動表示処理について、図８のフローチャートに沿って説明する。
【０１３６】
まず、本処理が開始されると、Ｓ３１０では、スマートフォン５６のＣＰＵは、ＳＴＢ４から受信した視聴チャンネルデータを、管理サーバ９に送信することにより、この視聴チャンネルデータに対応する視聴番組連動情報として、図９（ａ）に例示する初期画像情報を管理サーバ９からインターネット網１０を介して取得し、取得した初期画像情報に基づく画面（初期画面）を表示する。なお、視聴チャンネルデータは、スマートフォン５６がＳＴＢ４に赤外線コードまたは無線コードを送信し、ＳＴＢ４がその受信したコードが示す番組視聴操作に基づき、ＳＴＢ制御処理（視聴操作制御やトラッキング処理）を実行することにより、ＳＴＢ４からスマートフォン５６に送られてくるデータである。このため、スマートフォン５６とＳＴＢ４（ひいてはＴＶ２やＢＤレコーダ３）との間で、放送チャンネルを同期することができる。よって、視聴番組連動情報は、ＴＶ２やＢＤレコーダ３が実際に選局（出力）したＴＶ番組（換言すれば、ユーザが実際に視聴しているＴＶ番組（視聴番組））に連動した情報となる。また、初期画面では、図９（ａ）に例示するように、視聴番組をチェックするためのソフトウェアボタン（以下「番組ボタン」という）と、視聴番組のスポンサー（広告主）によって放送されるコマーシャル（ＣＭ）をチェックするためのソフトウェアボタン（以下「ＣＭボタン」という）と、予め設定されたソーシャルネットワーク（ＳＮＳ）に連動するためのソフトウェアボタン（以下「ＳＮＳボタン」という）が押下可能に表示される。ちなみに、以降の処理において、ユーザの操作によって適宜、この初期画面に戻ることができる。
【０１３７】
続くＳ３２０では、Ｓ３１０において表示された初期画面において、番組ボタンが押下されたか否かを判断し、ここで肯定判断した場合には、Ｓ３３０に移行し、否定判断した場合には、Ｓ３４０に移行する。
【０１３８】
Ｓ３３０では、スマートフォン５６のＣＰＵは、番組ボタンの押下を示す操作データを管理サーバ９に送信することにより、この操作データに対応する視聴番組連動情報として、視聴番組に関する情報（例えば、番組名、出演者、あらすじ、エピソード等）を管理サーバ９からインターネット網１０を介して取得し、取得した情報に基づく画面表示（番組情報表示）を行う（図９（ｂ）参照）。
【０１３９】
Ｓ３４０では、Ｓ３１０において表示された初期画面において、ＣＭボタンが押下されたか否かを判断し、ここで肯定判断した場合には、Ｓ３５０に移行し、否定判断した場合には、Ｓ３６０に移行する。
【０１４０】
Ｓ３５０では、スマートフォン５６のＣＰＵは、ＣＭボタンの押下を示す操作データを管理サーバ９に送信することにより、この操作データに対応する視聴番組連動情報として、視聴番組のスポンサーの一覧を示す情報を管理サーバ９からインターネット網１０を介して取得し、取得した情報に基づく画面表示（スポンサー一覧表示）を行う（図９（ｃ）参照）。
【０１４１】
Ｓ３６０では、Ｓ３５０において表示されたスポンサー一覧画面において、スポンサーを特定（選択）するためのボタンの押下が行われたか否かを判断し、ここで肯定判断した場合には、Ｓ３７０に移行し、否定判断した場合には、Ｓ３８０に移行する。
【０１４２】
Ｓ３７０では、スマートフォン５６のＣＰＵは、特定されたスポンサーを示す操作データを管理サーバ９に送信することにより、この操作データに対応する視聴番組連動情報として、スポンサーが視聴番組において提供しているものに関する情報を管理サーバ９からインターネット網１０を介して取得し、取得した情報に基づく画面表示（ＣＭ情報表示）を行う（図９（ｄ）参照）。なお、このＣＭ情報表示では、例えば、商品名やＣＭ名、ＣＭで用いられている曲名やアーティスト名、出演者や映像特典（例えば、テレビで未公開のＣＭ等）に連動するソフトウェアボタンが表示され、これらのボタンの押下に応じて、詳細情報が得られるサイトや購入可能なサイト、視聴可能なサイトにアクセスすることができる。また、ＷＥＢ上の検索エンジンに連携して、ソフトウェアボタンの押下操作に対応するワード検索を行って、ヒットした結果をスマートフォン５６に表示させることもできる。
【０１４３】
Ｓ３８０では、Ｓ３１０において表示された初期画面において、ＳＮＳボタンが押下されたか否かを判断し、ここで肯定判断した場合には、Ｓ３９０に移行し、否定判断した場合には、Ｓ３１０に戻る。
【０１４４】
Ｓ３９０では、スマートフォン５６のＣＰＵは、ＳＮＳボタンの押下を示す操作データを管理サーバ９に送信することにより、この操作データに対応する視聴番組連動情報として、ＳＮＳに連動する情報を管理サーバ９からインターネット網１０を介して取得し、取得した情報に基づく画面表示（投稿画面表示）を行う（図９（ｅ）参照）。なお、この投稿画面表示では、例えば、視聴番組や放送局を特定するタグ情報が投稿欄に自動記入され、ユーザが投稿欄に例えば視聴番組に関する感想等を記入し、投稿ボタンを押下すると、タグ情報とともに記入事項の内容が所定のＳＮＳにアップロードされるようになっている。また、この視聴番組に関する投稿数は、ＳＮＳのサーバ側（例えば管理サーバ９）で集計処理され、その結果をスマートフォン５６に対して送信することにより、ユーザにフィードバックさせることもできる。また、管理サーバ９は、ＷＥＢ上の検索エンジンに連携して、投稿内容における任意のキーワード対応するワード検索を行って、ヒットした結果をスマートフォン５６に表示させることもできる。
【０１４５】
＜第２変形例の効果＞
以上説明したように、第２変形例の視聴率調査システム１によれば、ユーザが所持するスマートフォン５６が、ＳＴＢ４から無線によって受信した視聴チャンネルデータを基に、管理サーバ９から各種の視聴番組連動情報を取得することにより、ユーザの視聴操作に応じた番組またはその番組に付随する情報を、リアルタイムに利便性よくユーザに提供することができる。
【０１４６】
また、ユーザは、スマートフォン５６から専用リモコンに持ち替えることなく、専用リモコンとしての機能を有するスマートフォン５６を用いて、ＴＶ２やＢＤレコーダ３に放送番組を選局させるための視聴操作を行いつつ、その視聴操作に応じてＴＶ２やＢＤレコーダ３が実際に出力している番組またはその番組に付随する情報を、リアルタイムに利便性よく得ることができる。
【符号の説明】
【０１４７】
１…視聴率調査システム、２…ＴＶ、３…ＢＤレコーダ、４…ＳＴＢ、５…赤外線リモコン、６…無線リモコン、７…無線ルータ、８…タイムサーバ、９…管理サーバ、１０…インターネット網、２１…ＴＶチューナ、２２…ディスプレイ、２３…スピーカ、２４…制御部、２５…ＨＤＭＩ入力端子、２６…赤外線受光部、２７…ＵＳＢ端子、３１…ＴＶチューナ、３２…ＨＤＤ、３３…ＢＤＤ、３４…制御部、３５…ＨＤＭＩ出力端子、３６…赤外線受光部、４１…内部時計、４２…無線通信部、４３…赤外線コード入力部、４４…制御部、４５…ＨＤＭＩ接続部、４６…赤外線コード受信部、４７…ＵＳＢ端子、４８…給電部、６０…赤外線発信器、６３…赤外線コード変換部、６６…赤外線コード送信部、９１…ネットワークＩＦ、９２…データベース、９３…制御部、９４…放送チャンネル、９５…視聴開始時刻、９６…視聴終了時刻、９７…管理テーブル。
【図２】
2014195236.tif 000003
【図３】
2014195236.tif 000004
【図４】
2014195236.tif 000005
【図５】
2014195236.tif 000006
【図６】
2014195236.tif 000007
【図７】
2014195236.tif 000008
【図８】
2014195236.tif 000009
【図９】
2014195236.tif 000010
【図１】
2014195236.tif 000011